(57)【要約】【課題】レシートを撮影し、レシート画像を文字認識して正当性を判断することで、購入者を購買証明することが可能なキャンペーン応募システム等を提供する。【解決手段】ユーザ端末３のユーザ（購入者）は、商品Ａのキャンペーンに応募する場合、予めダウンロードしたキャンペーン応募のためのアプリケーションを起動し、実施中のキャンペーン一覧の中から商品Ａのキャンペーンを選択した後、商品Ａを購入した際に発行されたレシート４の印字面をユーザ端末３のカメラで撮影する。ユーザ端末３のアプリケーションは、レシート画像をＯＣＲ処理し、文字として認識されたレシート情報から、キャンペーン応募に必要な情報を抽出し、レシート画像、および購入者により指定された景品発送情報とともに、ネットワーク５を介してキャンペーン管理サーバ２に送信（応募）する。この処理により、キャンペーン管理サーバ２にて、購入者の商品購入が購買証明される。【選択図】図１
2015079371.tif 000002
【特許請求の範囲】
【請求項１】
ユーザ端末とサーバとがネットワークを介して接続されるキャンペーン応募システムであって、
前記ユーザ端末は、
購入商品に関する情報が記載されたレシートを撮影する撮影手段と、
撮影されたレシート画像の文字をレシート情報として認識する文字認識手段と、
認識されたレシート情報および撮影された前記レシート画像を、前記サーバに送信する送信手段と、を具備し、
前記サーバは、
前記レシート情報および前記レシート画像を対応付けて記憶する記憶手段と、
前記ユーザ端末から前記レシート情報および前記レシート画像を受信する受信手段と、
受信した前記レシート情報に基づいて、前記レシートが正当な情報か否かの判定を行い、正当な情報である場合には、前記レシートを購買証明とする情報判定手段と、
前記情報判定手段により購買証明された前記レシート画像を前記記憶手段に記憶させる記憶制御手段と、
を具備する
ことを特徴とするキャンペーン応募システム。
【請求項２】
前記サーバの前記情報判定手段は、受信した前記レシート情報が、前記記憶手段に重複して登録されているか否かを判定し、重複して登録されていない場合には、正当な情報であるとする
ことを特徴とする請求項１に記載のキャンペーン応募システム。
【請求項３】
前記サーバの前記情報判定手段は、前記レシート情報に含まれる少なくとも店舗の電話番号、レジ番号、購買日時、及び、合計金額によって、重複して登録されているか否かを判定する
ことを特徴とする請求項２に記載のキャンペーン応募システム。
【請求項４】
前記サーバの前記情報判定手段は、前記レシート情報に含まれる購入商品ごとの金額と個数との積を計算し、それらの合計金額が、前記レシート情報に含まれる合計金額と一致するかを判定し、一致する場合には、前記正当な情報であるとする
ことを特徴とする請求項１乃至請求項３のいずれかに記載のキャンペーン応募システム。
【請求項５】
前記サーバの記憶手段は、さらに、キャンペーンの応募条件を記憶し、
前記サーバの前記情報判定手段は、前記レシート情報に含まれる情報が、前記応募条件を満たすか否かを判定し、満たす場合には、前記正当な情報であるとする
ことを特徴とする請求項１乃至請求項４のいずれかに記載のキャンペーン応募システム。
【請求項６】
前記サーバの前記情報判定手段は、前記レシート画像を表示部に表示し、管理者により正しいと判断された場合に、前記正当な情報であるとする
ことを特徴とする請求項１乃至請求項５のいずれかに記載のキャンペーン応募システム。
【請求項７】
前記レシート情報は、少なくとも、店舗の電話番号、レジ番号、購買日時、購入商品名、購入数、合計金額を含む
ことを特徴とする請求項１乃至請求項６のいずれかに記載のキャンペーン応募システム。
【請求項８】
前記ユーザ端末は、さらに、
応募するキャンペーンの選択を受け付け、および、前記キャンペーンの応募に関する景品送付情報の入力を受付ける情報取得手段と、
前記文字認識手段により認識された前記レシート情報に含まれる購入商品のうち、選択を受け付けた前記キャンペーンの対象商品に一致する購入商品を選択する選択手段と、を具備し、
前記送信手段は、さらに、前記選択手段により選択された前記購入商品に関する情報、および、前記情報取得手段により受付けた前記景品送付情報を送信する
ことを特徴とする請求項１乃至請求項７のいずれかに記載のキャンペーン応募システム。
【請求項９】
ユーザ端末とサーバとがネットワークを介して接続されるキャンペーン応募システムで行われるキャンペーン応募方法であって、
前記ユーザ端末は、
購入商品に関する情報が記載されたレシートを撮影する撮影ステップと、
撮影されたレシート画像の文字をレシート情報として認識する文字認識ステップと、
認識されたレシート情報および撮影された前記レシート画像を、前記サーバに送信する送信ステップと、を含み、
前記サーバは、前記レシート情報および前記レシート画像を対応付けて記憶する記憶手段を具備し、
前記ユーザ端末から前記レシート情報および前記レシート画像を受信する受信ステップと、
受信した前記レシート情報に基づいて、前記レシートが正当な情報か否かの判定を行い、正当な情報である場合には、前記レシートを購買証明とする情報判定ステップと、
前記情報判定ステップにより購買証明された前記レシート画像を前記記憶手段に記憶させる記憶制御ステップと、
を含む
ことを特徴とするキャンペーン応募方法。
【請求項１０】
購入商品に関する情報が記載されたレシートを撮影したレシート画像、および、前記レシート画像の文字を認識して取得したレシート情報を送信するユーザ端末と、ネットワークを介して接続されたキャンペーン管理サーバであって、
前記レシート情報および前記レシート画像を対応付けて記憶する記憶手段と、
前記ユーザ端末から前記レシート情報および前記レシート画像を受信する受信手段と、
受信した前記レシート情報に基づいて、前記レシートが正当な情報か否かの判定を行い、正当な情報である場合には、前記レシートを購買証明とする情報判定手段と、
前記情報判定手段により購買証明された前記レシート画像を前記記憶手段に記憶させる記憶制御手段と、
を具備することを特徴とするキャンペーン管理サーバ。
【請求項１１】
購入商品に関する情報が記載されたレシートを撮影したレシート画像、および、前記レシート画像の文字を認識して取得したレシート情報を送信するユーザ端末と、ネットワークを介して接続され、前記レシート情報および前記レシート画像を対応付けて記憶する記憶手段を具備するキャンペーン管理サーバで行われるキャンペーン管理方法であって、
前記ユーザ端末から前記レシート情報および前記レシート画像を受信する受信ステップと、
受信した前記レシート情報に基づいて、前記レシートが正当な情報か否かの判定を行い、正当な情報である場合には、前記レシートを購買証明とする情報判定ステップと、
前記情報判定ステップにより購買証明された前記レシート画像を前記記憶手段に記憶させる記憶制御ステップと、
を含むことを特徴とするキャンペーン管理方法。
【請求項１２】
コンピュータを、購入商品に関する情報が記載されたレシートを撮影したレシート画像、および、前記レシート画像の文字を認識して取得したレシート情報を送信するユーザ端末と、ネットワークを介して接続されたキャンペーン管理サーバとして機能させるためのプログラムであって、
前記コンピュータを、
前記レシート情報および前記レシート画像を対応付けて記憶する記憶手段、
前記ユーザ端末から前記レシート情報および前記レシート画像を受信する受信手段、
受信した前記レシート情報に基づいて、前記レシートが正当な情報か否かの判定を行い、正当な情報である場合には、前記レシートを購買証明とする情報判定手段、
前記情報判定手段により購買証明された前記レシート画像を前記記憶手段に記憶させる記憶制御手段、
として機能させるためのプログラム。
【発明の詳細な説明】
【技術分野】
【０００１】
本発明は、購入時に発行されるレシートを用いてキャンペーンに応募するキャンペーン応募システム等に関するものである。
【背景技術】
【０００２】
従来、実施されるキャンペーンは、例えば、予めメーカが広告等で対象商品、応募方法、および期間を予告し、それを見た顧客がそのメーカ製品のバーコードや応募券等を集めてメーカに送付することで応募する方法がとられてきた。この方法は、確実な方法であるが、バーコードや応募券等を郵送するための手間や時間もかかる。また、ラベルが添付され郵送されてきた膨大な数の郵便物の保管場所も大きくなり問題となる。
【０００３】
そこで、例えば、特許文献１には、商品に添付された応募コードナンバーを携帯電話等に入力してインターネット経由で送信することで、商品を購入した顧客がキャンペーンに応募できる方法が開示されている。
【０００４】
また例えば、特許文献２には、レシートを携帯電話の画像読取装置によって読み取り、読み取られた画像データをサーバに送り、サーバが、画像データを文字データに変換し、変換後の文字データから出費金額を集計する方法が開示されている。
【先行技術文献】
【特許文献】
【０００５】
【特許文献１】特開２００１−３１９０１０号公報
【特許文献２】特開２００５−１５０９５７号公報
【発明の概要】
【発明が解決しようとする課題】
【０００６】
しかしながら、特許文献１の技術では、購入者が自分で商品購入の度にいちいち応募コードナンバーを入力してインターネット経由で送信しなくてはならないため、購入者にとって応募作業が面倒である課題があった。
【０００７】
また特許文献２の技術では、画像読取装置で読み取った画像に係るレシート情報は、単に家計簿データの管理に用いるものであって、レシート情報についての正当性を判断して、キャンペーン応募に利用されるものではない課題があった。
【０００８】
本発明は、前述した問題点に鑑みてなされたもので、その目的とすることは、レシートを撮影したレシート画像と、レシート画像を文字認識したレシート情報とから、レシートの正当性を判断して、レシートを購買証明とすることが可能なキャンペーン応募システムなどを提供することである。
【課題を解決するための手段】
【０００９】
前述した目的を達成するための第１の発明は、ユーザ端末とサーバとがネットワークを介して接続されるキャンペーン応募システムであって、前記ユーザ端末は、購入商品に関する情報が記載されたレシートを撮影する撮影手段と、撮影されたレシート画像の文字をレシート情報として認識する文字認識手段と、認識されたレシート情報および撮影された前記レシート画像を、前記サーバに送信する送信手段と、を具備し、前記サーバは、前記レシート情報および前記レシート画像を対応付けて記憶する記憶手段と、前記ユーザ端末から前記レシート情報および前記レシート画像を受信する受信手段と、受信した前記レシート情報に基づいて、前記レシートが正当な情報か否かの判定を行い、正当な情報である場合には、前記レシートを購買証明とする情報判定手段と、前記情報判定手段により購買証明された前記レシート画像を前記記憶手段に記憶させる記憶制御手段と、を具備することを特徴とするキャンペーン応募システムである。
第１の発明によって、ユーザ端末が送信する、レシートを撮影したレシート画像と、レシート画像を文字認識したレシート情報とから、サーバがレシートの正当性を判断して、レシートを購買証明とする、キャンペーン応募システムを構築することができる。これにより、キャンペーンにおけるユーザの応募の手間を軽減できるとともに、キャンペーン事務局の作業を軽減して、キャンペーン運用費のコストダウンを図ることができる。
【００１０】
前記サーバの前記情報判定手段は、受信した前記レシート情報が、前記記憶手段に重複して登録されているか否かを判定し、重複して登録されていない場合には、正当な情報であるとすることが望ましい。
これにより、同一のレシートによる複数回のキャンペーンの応募を正当でないものとすることができる。
【００１１】
前記サーバの前記情報判定手段は、前記レシート情報に含まれる少なくとも店舗の電話番号、レジ番号、購買日時、及び、合計金額によって、重複して登録されているか否かを判定することが望ましい。
これにより、店舗の電話番号、レジ番号、購買日時、合計金額を用いて、同一のレシートによる複数回のキャンペーンの応募を正当でないものとすることができる。
【００１２】
前記サーバの前記情報判定手段は、前記レシート情報に含まれる購入商品ごとの金額と個数との積を計算し、それらの合計金額が、前記レシート情報に含まれる合計金額と一致するかを判定し、一致する場合には、前記正当な情報であるとすることが望ましい。
これにより、偽造、改ざんされたレシートによるキャンペーンの応募を正当でないものとすることができる。
【００１３】
前記サーバの記憶手段は、さらに、キャンペーンの応募条件を記憶し、前記サーバの前記情報判定手段は、前記レシート情報に含まれる情報が、前記応募条件を満たすか否かを判定し、満たす場合には、前記正当な情報であるとすることが望ましい。
これにより、キャンペーンの応募条件を満たすレシートによるキャンペーンの応募を正当なものとすることができる。
【００１４】
前記サーバの前記情報判定手段は、前記レシート画像を表示部に表示し、管理者により正しいと判断された場合に、前記正当な情報であるとすることが望ましい。
これにより、サーバの管理者により、正しいと判断されたレシートによるキャンペーンの応募のみを正当なものとすることができる。
【００１５】
前記レシート情報は、少なくとも、店舗の電話番号、レジ番号、購買日時、購入商品名、購入数、合計金額を含むことが望ましい。
これらの情報を、レシートの正当性を判断に用いることができる。
【００１６】
前記ユーザ端末は、さらに、応募するキャンペーンの選択を受け付け、および、前記キャンペーンの応募に関する景品送付情報の入力を受付ける情報取得手段と、前記文字認識手段により認識された前記レシート情報に含まれる購入商品のうち、選択を受け付けた前記キャンペーンの対象商品に一致する購入商品を選択する選択手段と、を具備し、前記送信手段は、さらに、前記選択手段により選択された前記購入商品に関する情報、および、前記情報取得手段により受付けた前記景品送付情報を送信することが望ましい。
これにより、キャンペーンに応募するための情報を簡単に抽出し送信することができる。
【００１７】
第２の発明は、ユーザ端末とサーバとがネットワークを介して接続されるキャンペーン応募システムで行われるキャンペーン応募方法であって、前記ユーザ端末は、購入商品に関する情報が記載されたレシートを撮影する撮影ステップと、撮影されたレシート画像の文字をレシート情報として認識する文字認識ステップと、認識されたレシート情報および撮影された前記レシート画像を、前記サーバに送信する送信ステップと、を含み、前記サーバは、前記レシート情報および前記レシート画像を対応付けて記憶する記憶手段を具備し、前記ユーザ端末から前記レシート情報および前記レシート画像を受信する受信ステップと、受信した前記レシート情報に基づいて、前記レシートが正当な情報か否かの判定を行い、正当な情報である場合には、前記レシートを購買証明とする情報判定ステップと、前記情報判定ステップにより購買証明された前記レシート画像を前記記憶手段に記憶させる記憶制御ステップと、を含むことを特徴とするキャンペーン応募方法である。
第２の発明によって、ユーザ端末が送信する、レシートを撮影したレシート画像と、レシート画像を文字認識したレシート情報とから、サーバがレシートの正当性を判断して、レシートを購買証明とする、キャンペーン応募システムを構築することができる。これにより、キャンペーンにおけるユーザの応募の手間を軽減できるとともに、キャンペーン事務局の作業を軽減して、キャンペーン運用費のコストダウンを図ることができる。
【００１８】
第３の発明は、購入商品に関する情報が記載されたレシートを撮影したレシート画像、および、前記レシート画像の文字を認識して取得したレシート情報を送信するユーザ端末と、ネットワークを介して接続されたキャンペーン管理サーバであって、前記レシート情報および前記レシート画像を対応付けて記憶する記憶手段と、前記ユーザ端末から前記レシート情報および前記レシート画像を受信する受信手段と、受信した前記レシート情報に基づいて、前記レシートが正当な情報か否かの判定を行い、正当な情報である場合には、前記レシートを購買証明とする情報判定手段と、前記情報判定手段により購買証明された前記レシート画像を前記記憶手段に記憶させる記憶制御手段と、を具備することを特徴とするキャンペーン管理サーバである。
第３の発明によって、キャンペーン管理サーバは、ユーザ端末が送信する、レシートを撮影したレシート画像と、レシート画像を文字認識したレシート情報とから、レシートの正当性を判断して、レシートを購買証明とすることができる。これにより、キャンペーンにおけるユーザの応募の手間を軽減できるとともに、キャンペーン事務局の作業を軽減して、キャンペーン運用費のコストダウンを図ることができる。
【００１９】
第４の発明は、購入商品に関する情報が記載されたレシートを撮影したレシート画像、および、前記レシート画像の文字を認識して取得したレシート情報を送信するユーザ端末と、ネットワークを介して接続され、前記レシート情報および前記レシート画像を対応付けて記憶する記憶手段を具備するキャンペーン管理サーバで行われるキャンペーン管理方法であって、前記ユーザ端末から前記レシート情報および前記レシート画像を受信する受信ステップと、受信した前記レシート情報に基づいて、前記レシートが正当な情報か否かの判定を行い、正当な情報である場合には、前記レシートを購買証明とする情報判定ステップと、前記情報判定ステップにより購買証明された前記レシート画像を前記記憶手段に記憶させる記憶制御ステップと、を含むことを特徴とするキャンペーン管理方法である。
第４の発明のキャンペーン管理方法によって、ユーザ端末が送信する、レシートを撮影したレシート画像と、レシート画像を文字認識したレシート情報とから、レシートの正当性を判断して、レシートを購買証明とすることができる。これにより、キャンペーンにおけるユーザの応募の手間を軽減できるとともに、キャンペーン事務局の作業を軽減して、キャンペーン運用費のコストダウンを図ることができる。
【００２０】
第５の発明は、コンピュータを、購入商品に関する情報が記載されたレシートを撮影したレシート画像、および、前記レシート画像の文字を認識して取得したレシート情報を送信するユーザ端末と、ネットワークを介して接続されたキャンペーン管理サーバとして機能させるためのプログラムであって、前記コンピュータを、前記レシート情報および前記レシート画像を対応付けて記憶する記憶手段、前記ユーザ端末から前記レシート情報および前記レシート画像を受信する受信手段、受信した前記レシート情報に基づいて、前記レシートが正当な情報か否かの判定を行い、正当な情報である場合には、前記レシートを購買証明とする情報判定手段、前記情報判定手段により購買証明された前記レシート画像を前記記憶手段に記憶させる記憶制御手段、として機能させるためのプログラムである。
第５の発明に係るプログラムを、汎用コンピュータにインストールすることによって、第３の発明に係るキャンペーン管理サーバを得て、第４の発明に係るキャンペーン管理方法を実行することができる。
【発明の効果】
【００２１】
本発明により、ユーザ端末が送信するレシートを撮影したレシート画像とレシート画像を文字認識したレシート情報とから、サーバがレシートの正当性を判断してレシートを購買証明とするキャンペーン応募システムを構築することができる。これにより、キャンペーンにおけるユーザの応募の手間を軽減できるとともに、キャンペーン事務局の作業を軽減してキャンペーン運用費のコストダウンを図ることができる。
【図面の簡単な説明】
【００２２】
【図１】本発明の実施の形態に係るキャンペーン応募システムの構成例を示す図である。
【図２】レシートの例を示す図である。
【図３】キャンペーン管理サーバのハードウェアの構成例を示す図である。
【図４】キャンペーン管理サーバの機能構成例を示すブロック図である。
【図５】キャンペーン情報データベースの例を示す図である。
【図６】会員情報データベースの例を示す図である。
【図７】会員情報の例を示している。
【図８】応募情報データベースの例を示す図である。
【図９】レシート情報の例を示している。
【図１０】レシート画像の例を示す図である。
【図１１】ユーザ端末のハードウェアの構成例を示す図である。
【図１２】ユーザ端末の機能構成例を示すブロック図である。
【図１３】会員情報登録処理を説明するフローチャートである。
【図１４】ログイン画面の例を示す図である。
【図１５】会員規約画面の表示例を示す図である。
【図１６】会員情報登録画面の表示例を示す図である。
【図１７】キャンペーン応募処理を説明するフローチャートである。
【図１８】キャンペーン一覧画面の表示例を示す図である。
【図１９】キャンペーン詳細情報画面の表示例を示す図である。
【図２０】キャンペーンの規約画面の表示例を示す図である。
【図２１】撮影時の様子を説明する図である。
【図２２】読取結果画面の表示例を示す図である。
【図２３】プレゼント選択画面の表示例を示す図である。
【図２４】応募情報入力画面の表示例を示す図である。
【図２５】確認画面の表示例を示す図である。
【図２６】受付完了画面の表示例を示す図である。
【発明を実施するための形態】
【００２３】
以下、図面に基づいて、本発明の実施形態を詳細に説明する。
【００２４】
［本発明の実施の形態］
（キャンペーン応募システムの構成）
図１は、本発明の実施の形態に係るキャンペーン応募システム１の構成例を示す図である。
【００２５】
図１に示すように、キャンペーン応募システム１は、キャンペーン管理サーバ２およびユーザ端末３がネットワーク５を介して相互に接続されることで構成されている。なお、キャンペーン管理サーバ２およびユーザ端末３の数は、任意であり、それぞれ複数設けることができる。
【００２６】
キャンペーン管理サーバ２は、例えば、CPU（Central  Processing  Unit）、ROM（Read  Only  Memory）、RAM（Random  Access  Memory）、HDD（Hard  Disc  Drive）等を有するコンピュータシステムである。
【００２７】
キャンペーン管理サーバ２は、企業で決定されたキャンペーン情報（例えば、企業名、キャンペーン名、対象商品等）、ネットワーク５を介してユーザ端末３から取得したユーザ（購入者）に関する情報、ユーザ端末３を介して取得したレシート４のレシート情報、およびキャンペーン応募に関する情報等をデータベースで管理している。
【００２８】
また、キャンペーン管理サーバ２は、キャンペーン応募のためのアプリケーションを管理しており、ユーザ端末３からの要求に応じて、そのアプリケーションを提供（送信）する。
さらに、キャンペーン管理サーバ２は、ユーザ端末３から取得したレシート４のレシート情報とデータベースに登録されている情報を比較し、重複がない場合には正当なキャンペーン応募と判定する。これにより、キャンペーン応募のための正当なレシート情報をもって、購入者の商品購入が購買証明される。
【００２９】
ユーザ端末３は、CPU、ROM、RAM、入力部、表示画面、およびデジタルスチルカメラなどを実装した携帯型コンピュータであって、例えば、スマートフォン、カメラ付き携帯電話機、タブレット端末（携帯情報端末）等である。
【００３０】
例えば、ユーザ端末３のユーザ（購入者）は、商品Ａのキャンペーンに応募する場合、店頭などのキャンペーンポスターに記載されたＱＲコード（登録商標）を読み取り、そのコードが示すＵＲＬ（Uniform Resource Locator）に基づいて、キャンペーン管理サーバ２にアクセスし、キャンペーン応募のためのアプリケーションをダウンロードする。ユーザは、ユーザ端末３上にダウンロードしたアプリケーションを起動し、実施中のキャンペーン一覧の中から商品Ａのキャンペーンを選択した後、商品Ａを購入した際に発行されたレシート４の印字面をユーザ端末３のカメラで撮影する。
【００３１】
ユーザ端末３のアプリケーションは、レシート画像をＯＣＲ（Optical Character Recognition）処理し、文字として認識されたレシート情報から、キャンペーン応募に必要な情報を抽出し、レシート画像、および購入者により指定された景品発送情報とともに、ネットワーク５を介してキャンペーン管理サーバ２に送信（応募）する。この処理により、キャンペーン管理サーバ２にて、購入者の商品購入が購買証明される。
【００３２】
ネットワーク５は、LAN（Local Area Network）やインターネット等のネットワークであり、有線、無線は特に問わない。
【００３３】
図２は、レシート４の一例を示す図である。
【００３４】
図２に示すように、レシート４には、店舗の電話番号４１１、レジ番号４１２、購入日時４１３、購入商品名４１４、購入数４１５、合計金額４１６等が少なくとも印字されている。
店舗の電話番号４１１は、流通企業と店舗を特定し、キャンペーンの対象店舗であるか否かの判別に用いられる。
レジ番号４１２は、対象店舗におけるレジを特定し、ユニークさを証明する情報として取得される。
【００３５】
購入日時４１３は、キャンペーンの応募期間内の購入であるか否かの判別に用いられ、また、ユニークさを証明する情報としても取得される。
購入商品名４１４は、対象商品を購入しているか否かの判別に用いられる。
購入数４１５は、応募条件として対象商品の購入数を利用するキャンペーンで、所定数を購入しているか否かの判別に用いられる。
合計金額４１６は、合計金額を算出し、偽造がないことを証明する情報、かつ、ユニークさを証明する情報として取得される。
【００３６】
本実施の形態では、レシート４の印字面がユーザ端末３のカメラで撮影され、レシート画像がＯＣＲ処理されることで、電話番号４１１〜合計金額４１６がレシート情報として文字認識される。電話番号４１１〜合計金額４１６を含むレシート情報のうち、少なくとも、店舗の電話番号４１１、レジ番号４１２、購入日時４１３、および合計金額４１６が、ユニーク性を証明する情報として抽出され、ユニーク性があると判定された場合には、それらの情報をもって購入者の商品購入が購買証明される（レシート４が購買証明となる）。
【００３７】
また、レシート情報の購入商品ごとの金額（単価）４１４と購入数４１５とから、購入商品ごとに、合計金額を算出し、それがレシート情報の合計金額４１６と一致するかどうかを判定し、レシートの偽造や改ざんの判定に用いてもよい。
また、レシート情報の電話番号４１１、対象商品と金額４１４、購入数４１５は、キャンペーン管理サーバ２が記憶するキャンペーンの応募条件を満たすか否かの判定に用いてもよい。
【００３８】
（各端末の構成）
図３は、キャンペーン管理サーバ２のハードウェアの構成例を示す図である。尚、図３のハードウェア構成は一例であり、用途、目的に応じて様々な構成を採ることが可能である。
【００３９】
キャンペーン管理サーバ２を実現するコンピュータは、制御部１１、記憶部１２、メディア入出力部１３、通信制御部１４、入力部１５、表示部１６、周辺機器Ｉ／Ｆ（インターフェース）部１７等が、バス１８を介して接続される。
【００４０】
制御部１１は、CPU、ROM、RAM等で構成される。CPUは、記憶部１２、ROM、記録媒体等に格納されるプログラムをRAM上のワークメモリ領域に呼び出して実行し、バス１８を介して接続された各部を駆動制御し、キャンペーン管理サーバ２が行う後述する処理を実現する。ROMは、不揮発性メモリであり、コンピュータのブートプログラムやBIOS（Basic Input/Output System）等のプログラム、データ等を恒久的に保持している。RAMは、揮発性メモリであり、記憶部１２、ROM、記録媒体等からロードしたプログラム、データ等を一時的に保持するとともに、制御部１１が各種処理を行う為に使用するワークエリアを備える。
【００４１】
記憶部１２は、HDDであり、制御部１１が実行するプログラム、プログラム実行に必要なデータ、ＯＳ（オペレーティングシステム）等を格納する。プログラムに関しては、ＯＳに相当する制御プログラムや、後述する処理をコンピュータに実行させるためのアプリケーションプログラムが格納されている。これらの各プログラムコードは、制御部１１により必要に応じて読み出されてRAMに移され、CPUに読み出されて各種の手段として実行される。
【００４２】
メディア入出力部１３（ドライブ装置）は、データの入出力を行い、例えば、ＣＤドライブ（−ROM、−Ｒ、−ＲＷ等）、DVDドライブ（−ROM、−Ｒ、−ＲＷ等）等のメディア入出力装置を有する。通信制御部１４は、通信制御装置、通信ポート等を有し、コンピュータとネットワーク５間の通信を媒介する通信インターフェースであり、ネットワーク５を介して、他のコンピュータ間との通信制御を行う。ネットワーク５は、有線、無線を問わない。
【００４３】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。表示部１６は、液晶パネル等のディスプレイ装置、ディスプレイ装置と連携してコンピュータのビデオ機能を実現するための論理回路等（ビデオアダプタ等）を有する。
【００４４】
周辺機器Ｉ／Ｆ（インターフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、USB（Universal Serial Bus）やIEEE（The Institute of Electrical and
Electronics Engineers）１３９４やＲＳ−２３２Ｃ等で構成されており、通常複数の周辺機器Ｉ／Ｆを有する。周辺機器との接続形態は有線、無線を問わない。バス１８は、各装置間の制御信号、データ信号等の授受を媒介する経路である。
【００４５】
図４は、キャンペーン管理サーバ２の機能構成例を示すブロック図である。図４に示す機能部のうちの少なくとも一部は、図３の制御部１１により所定のプログラムが実行されることによって実現される。
【００４６】
情報取得部２１は、企業で決定されたキャンペーン情報を取得し、キャンペーン情報データベース２２に登録する。また、情報取得部２１は、ユーザ端末３からネットワーク５を介してユーザ（購入者）に関する情報を取得し、会員情報として会員情報データベース２３に登録する。
さらに、情報取得部２１は、ユーザ端末３からネットワーク５を介して、レシート情報およびレシート画像を含む応募情報を取得し、情報判定部２４に供給する。
【００４７】
情報判定部２４は、情報取得部２１から供給された応募情報が、応募情報データベース２５に既に登録されているか否かを判定し、重複がない場合には正当な応募情報（レシート情報）であると判定する。具体的には、情報判定部２４は、応募情報のレシート情報に含まれる店舗の電話番号、レジ番号、購買日時、及び合計金額等によって、応募情報データベース２５に既に登録されているか否かを判定する。情報判定部２４は、重複がないと判定したレシート情報をもって、購入者の商品購入を購買証明する（レシートを購買証明とする）。
【００４８】
また、情報判定部２４は、さらに、レシート情報に含まれる購入商品ごとの金額（単価）と購入数とから購入商品ごとに合計金額を算出し、それがレシート情報の合計金額と一致するかどうかを判定し、レシートの偽造や改ざんの判定に用いてもよい。情報判定部２４は、レシートの偽造や改ざんが行われていないと判定した場合には、レシートを購買証明とする。
【００４９】
また、情報判定部２４は、情報取得部２１から供給された応募情報に含まれるレシート情報が、キャンペーン応募の対象商品、個数、金額、対象店舗等であるか否かを、キャンペーン情報データベース２２に記憶されている応募条件等の情報に基づいて判定する。情報判定部２４は、レシート情報が応募条件等を満たす場合には、レシートを購買証明とする。
【００５０】
また、情報判定部２４は、表示部３５にレシート画像を表示して、管理者にレシートを確認させてもよい。情報判定部２４は、管理者が正しいと判断したレシートを購買証明とする。
【００５１】
情報判定部２４は、レシート情報のキャンペーン応募に重複がなく、レシートに偽造や改ざんがなく、レシート情報がキャンペーンの応募条件等を満たしており、管理者が正しいと判定した場合には、レシートを購買証明として、レシート情報およびレシート画像を含む応募情報を応募情報データベース２５に登録する。なお、情報判定部２４は、前述の２番目、３番目、及び４番目の条件は、判定に用いても用いなくてもよい。
【００５２】
図５は、キャンペーン情報データベース２２の一例を示す図である。
【００５３】
図５に示すように、キャンペーン情報データベース２２は、少なくとも、キャンペーンＩＤ２２Ａ、キャンペーン名２２Ｂ、およびキャンペーン情報２２Ｃを、キャンペーン毎に記憶する。
【００５４】
キャンペーンＩＤ２２Ａは、キャンペーンを一意に識別するための情報である。キャンペーン名２２Ｂは、キャンペーンの名称を示す。キャンペーン情報２２Ｃは、キャンペーンのさまざまな情報を含み、例えば、企業名、対象店舗（電話番号）、対象商品、景品、キャンペーン画像、キャンペーン説明文、規約、およびメール文等である。また、キャンペーン情報２２Ｃは、対象店舗（電話番号）、対象商品、個数、金額等からなるキャンペーンの応募条件も含む。
【００５５】
図６は、会員情報データベース２３の一例を示す図である。
【００５６】
図６に示すように、会員情報データベース２３は、少なくとも、ユーザＩＤ２３Ａおよび会員情報２３Ｂを、ユーザ毎に記憶する。
【００５７】
ユーザＩＤ２３Ａは、ユーザ（会員）を一意に識別するための情報である。会員情報２３Ｂは、会員に関する情報であって、例えば、図７に示すように、ログインＩＤ（キャンペーン応募アプリケーションにログインする際のユーザを一意に識別する情報）、パスワード（キャンペーン応募アプリケーションにログインするための認証用の情報）、氏名、ふりがな、郵便番号、住所、電話番号、メールアドレス、性別、生年月日、職業、ＭＹエリア（例えば、よく利用する店舗、よく訪れる地域、自宅最寄駅、会社最寄駅）などの情報を含む。
【００５８】
図８は、応募情報データベース２５の例を示す図である。
【００５９】
図８に示すように、応募情報データベース２５は、少なくとも、キャンペーンＩＤ２５Ａ、レシートＩＤ２５Ｂ、レシート情報２５Ｃ、レシート画像２５Ｄ、ユーザＩＤ２５Ｅを、キャンペーン毎に記憶する。
【００６０】
キャンペーンＩＤ２５Ａは、キャンペーンを一意に識別するための情報であり、キャンペーン情報データベース２２のキャンペーンＩＤ２２Ａに紐付けられている。レシートＩＤ２５Ｂは、レシートテキスト情報を一意に識別するための情報である。レシート情報２５Ｃは、購入に関する情報であって、例えば、図９に示すように、店舗名、店舗住所、電話番号、レジ番号、購入日、購入時間、担当者（責任者）、商品名、単品金額、購入数、値引き情報、商品金額、合計金額、Ｐカード（ポイントカード）残高、Ｐカード支払金額、獲得ポイント、ポイント残高、伝票番号などの情報を含む。
【００６１】
応募情報データベース２５は、図９に示すレシート情報２５Ｃのうち、キャンペーン応募で必須となる、図中、黒丸が付与された情報を少なくとも保持するようにする。レシート画像２５Ｄは、例えば、図１０に示すように、レシート４を撮影した画像である。ユーザＩＤ２５Ｅは、ユーザを一意に識別する情報であり、会員情報データベース２３のユーザＩＤ２３Ａに紐付けられている。景品発送情報２５Ｆは、発送先、景品名等を含む景品発送に必要な情報である。
【００６２】
（ユーザ端末の構成）
【００６３】
図１１は、ユーザ端末３のハードウェアの構成例を示す図である。尚、図１１のハードウェア構成は一例であり、用途、目的に応じて様々な構成を採ることが可能である。
【００６４】
ユーザ端末３は、制御部３１、記憶部３２、通信制御部３３、入力部３４、表示部３５、カメラ３６などが、バス３７を介して接続される。
【００６５】
制御部３１は、CPU、ROM、RAM等で構成される。制御部３１は、記憶部３２に記憶されたプログラムに基づいて所定の処理を行い、通話機能、ブラウザ機能、およびメール機能などを実現する。また制御部３１は、カメラ３６が撮影したレシート４の画像をＯＣＲ処理して文字認識し、認識結果を表示部３５に表示させる。
【００６６】
さらに制御部３１は、ＯＣＲ処理による認識結果であるレシート情報を記憶部３２に記憶させるとともに、レシート情報２５Ｃ（図９）およびレシート画像２５Ｄ（図１０）を、ネットワーク５を介してキャンペーン管理サーバ２に送信する。
【００６７】
記憶部３２は、制御部３１が実行するプログラム、プログラム実行に必要なデータ、ＯＳ等を格納するとともに、通信制御部３３経由で提供されたデータ等を記憶する。また記憶部３２は、制御部３１でＯＣＲ処理され認識されたレシート４のレシート情報を記憶する。
【００６８】
通信制御部３３は、通信制御装置、通信ポート等を有し、ユーザ端末３とネットワーク５間の通信を媒介する通信インターフェースであり、ネットワーク５を介して、他のコンピュータ又は他のユーザ端末との音声通信やデータ通信の制御を行う。
【００６９】
入力部３４は、ボタンやタッチパネルなどで構成され、操作指示、動作指示、データ入力等を行う。表示部３５は、液晶パネル等のディスプレイ装置であり、制御部３１から供給される情報を表示する。入力部３４および表示部３５は、タッチパネルディスプレイのように、一体となっていても良い。
【００７０】
カメラ３６は、デジタルスチルカメラ等からなり、撮影した画像を電気的信号に変換できるものであればよく、ＣＭＯＳやＣＣＤ等の撮影素子を備えたカメラを用いればよい。
【００７１】
図１２は、ユーザ端末３の機能構成例を示すブロック図である。図１２に示す機能構成例のうちの少なくとも一部は、図１１のユーザ端末３の制御部３１によりキャンペーン応募アプリケーションが実行されることによって実現される。
【００７２】
情報取得部４１は、入力部３４からの入力情報（例えば、ユーザ登録に必要な情報、キャンペーン応募に関する情報等）を取得する。
撮影部４２は、提示したレシート４の印字面（図２）を撮影して、レシート画像を取得する。
【００７３】
ＯＣＲ処理部４３は、撮影部４２で撮影されたレシート４のレシート画像をＯＣＲ処理し、文字認識する。
情報送信部４４は、情報取得部４１からの入力情報、ＯＣＲ処理部４３で文字認識されたレシート情報、撮影部４２からのレシート画像を、ネットワーク５を介してキャンペーン管理サーバ２に送信する。
【００７４】
（会員情報登録処理）
図１３は、ユーザ端末３が、キャンペーン応募の際の事前処理としてキャンペーン管理サーバ２に会員情報を登録する処理を説明するフローチャートである。
【００７５】
まず、ユーザは、ユーザ端末３を操作し、店頭などのキャンペーンポスターに記載されたＱＲコード（登録商標）を読み取り、そのコードが示すＵＲＬ（Uniform Resource Locator）に基づいて、キャンペーン管理サーバ２にアクセスし、キャンペーン応募のためのアプリケーションをダウンロードする。ダウンロード後、ステップＳ１において、ユーザ端末３の制御部３１は、ダウンロードしたアプリケーションを起動する。これにより、例えば、表示部３５には、図１４に示すようなログイン画面５１が表示される。
【００７６】
図１４に示すログイン画面５１には、新規に会員登録する場合に選択される「新規会員登録」のボタン５２、キャンペーン管理サーバ２にログインする場合にログインＩＤおよびパスワードが入力される入力欄５３、５４、および、ログインする場合に選択される「ログイン」のボタン５５が表示されている。
【００７７】
ユーザ端末３の制御部３１は、ユーザによってログイン画面５１の「新規会員登録」のボタン５２が選択されると、図１５に示すような会員規約に関する画面６１を表示部３５に表示させる。次に、ユーザ端末３の制御部３１は、ユーザによって、規約に同意するためのボタン６２が選択されると、図１６に示すような会員情報登録画面７１を表示部３５に表示させる。ユーザは、入力部３４を用いて、氏名など、図７に示したような会員情報２３Ｂを入力し、会員登録するためのボタン７２を選択する。
【００７８】
ステップＳ２において、ユーザ端末３の情報取得部４１は、入力部３４を介して入力された会員情報２３Ｂを取得する。ステップＳ３において、ユーザ端末３の情報送信部４４は、ステップＳ２の処理で取得した会員情報２３Ｂを、ネットワーク５を介してキャンペーン管理サーバ２に送信する。
【００７９】
ステップＳ４において、キャンペーン管理サーバ２の情報取得部２１は、ネットワーク５を介してユーザ端末３から会員情報２３Ｂを受信し、ステップＳ５において、受信した会員情報２３Ｂを会員情報データベース２３に記憶させる。
【００８０】
（キャンペーン応募処理）
図１７は、キャンペーン応募システム１におけるキャンペーン応募処理を説明するフローチャートである。図１７の説明に当たり、図１８〜図２６を参照し、具体的な処理内容も説明する。
【００８１】
ステップＳ１１において、ユーザ端末３の制御部３１は、ユーザ（購入者）によるキャンペーン応募アプリケーション起動指示に基づいて、アプリケーションを起動する。これにより、ユーザ端末３の制御部３１は、ネットワーク５を介してャンペーン管理サーバ２にアクセスする。
【００８２】
ステップＳ１２において、キャンペーン管理サーバ２の制御部３１は、ユーザ端末３からのアクセスにともなって、実施中のキャンペーン一覧情報をキャンペーン情報データベース２２から読み出し、ネットワーク５を介してユーザ端末３に送信する。
【００８３】
ステップＳ１３において、ユーザ端末３の情報取得部４１は、ネットワーク５を介してキャンペーン管理サーバ２から、実施中のキャンペーン一覧情報を受信し、受信したキャンペーン一覧を表示部３５に表示させる。
【００８４】
図１８は、キャンペーン一覧画面の表示例を示す図である。
【００８５】
図１８に示すように、キャンペーン一覧画面８１には、実施中のキャンペーンＡとキャンペーンＢが表示されており、画面をスクロールすることで、他のキャンペーンも表示させることができる。
【００８６】
例えば、ユーザ端末３のユーザは、キャンペーン一覧画面８１に表示されたキャンペーン一覧のうち、応募したいキャンペーンを探し、そのキャンペーンを選択することで、キャンペーン詳細情報を表示させることができる。
【００８７】
ステップＳ１４において、ユーザ端末３の制御部３１は、ユーザによる所定のキャンペーンの選択を受け付け、ステップＳ１５において、選択されたキャンペーンのキャンペーン詳細情報を、表示部３５に表示させる。
【００８８】
図１９は、キャンペーン詳細情報画面の表示例を示す図である。
【００８９】
図１９に示すように、キャンペーン詳細情報画面９１には、「○○○スーパー」の対象店舗名、「○○○ビール」の対象商品名、「２０１３年○月○日〜○月○日」のキャンペーン応募期間、「対象商品を購入したレシートを撮影して応募してください」の説明文、および「レシートを撮影して応募」のボタン９２、キャンペーンの規約画面１０１（図２０）へのハイパーリンクが設定された「応募規約」の文字９３が表示されている。
【００９０】
ユーザは、「応募規約」の文字９３を選択し、図２０に示すキャンペーン規約画面１０１でキャンペーン規約を確認した後、「閉じる」のボタン１０２を押下し、図１９に示すキャンペーン詳細情報画面９１に戻る。
【００９１】
ステップＳ１６において、ユーザ端末３の撮影部４２は、ユーザの撮影操作に応じて、レシート４の印字面を撮影する。ユーザは、図１９に示すキャンペーン詳細情報画面９１において「レシートを撮影して応募」のボタン９２を選択した後、例えば、図２１に示すように、対象店舗で対象商品を購入した際に発行されたレシート４の印字面を撮影エリア１１１に収めて、撮影のための「通常読取」のボタン１１２を押下し、レシート４の印字面を撮影する。
【００９２】
ステップＳ１７において、ユーザ端末３のＯＣＲ処理部４３は、ステップＳ１６の処理で撮影された画像をＯＣＲ処理し、文字認識する。ステップＳ１８において、ユーザ端末３の制御部３１は、ステップＳ１７の処理による読取結果を表示部３５に表示させる。
【００９３】
図２２は、読取結果画面の表示例を示す図である。
【００９４】
図２２に示すように、読取結果画面１２１には、レシート４の印字面が文字認識された読取結果として、日付、店舗、支払、調整額、合計、品目、金額等が表示されている。また認識された各品目の左側には、チェックボックス１２２Ａ〜１２２Ｅも表示される。
【００９５】
ステップＳ１９において、ユーザ端末３の制御部３１は、読取結果画面１２１で、ステップＳ１４の処理で選択されたキャンペーンの対象商品名に一致する品目を選択し、選択した品目のチェックボックスにチェックを入れる。図２２の例の場合、「ほうれん草」のチェックボックス１２２Ｂにチェックが入れられている。なお、キャンペーンの対象商品名に一致する品目がなかった場合、ユーザによる選択操作を受付け、チェックボックスにチェックを入れることができる。
【００９６】
ユーザによる読取結果画面１２１での確認終了後、ステップＳ２０において、ユーザ端末３の制御部３１は、図１４に示したログイン画面５１を表示部３５に表示させる。これにより、ユーザは、事前に会員登録したログインＩＤおよびパスワードを、それぞれ入力欄５３、５４に入力し、「ログイン」のボタン５５を選択することで、キャンペーン管理サーバ２にログインする。
【００９７】
ユーザによるログイン処理後、ステップＳ２１において、ユーザ端末３の制御部３１は、プレゼント選択画面を表示部３５に表示させる。
【００９８】
図２３は、プレゼント選択画面の表示例を示す図である。
【００９９】
図２３に示すように、プレゼント選択画面１３１には、「○○○円分のレシートが読み込まれています」の説明文、「Ａ賞」、「Ｂ賞」、「Ｃ賞」のプレゼント名が表示されている。各プレゼントに応募する条件を満たしている「Ａ賞」は選択可能になされているが、応募条件に達していない「Ｂ賞」および「Ｃ賞」は選択不可（図中網掛け表示）となっている。
例えば、ユーザは、「Ａ賞」に応募する場合、「Ａ賞」のプレゼント名を選択し、未だキャンペーンには応募せず購入分を貯める場合、「貯める」のボタン１３２を選択する。「貯める」のボタン１３２が選択された場合には、ユーザ端末３の制御部３１は、対象商品の購入金額あるいは購入数を記憶部３２に記憶させる。
【０１００】
プレゼント選択画面１３１において「Ａ賞」のプレゼント名が選択されると、ステップＳ２２において、ユーザ端末３の制御部３１は、応募情報入力画面を表示部３５に表示させる。
【０１０１】
図２４は、応募情報入力画面の表示例を示す図である。
【０１０２】
図２４に示すように、応募情報入力画面１４１には、応募したキャンペーンに当選した場合のプレゼント送付先として、「会員登録した住所に送る」、「リストから選ぶ」、「住所３：千葉県木更津市」、「新しい住所に送る」のいずれかを選択することができるような、チェックボックス１４２Ａ〜１４２Ｅが表示されている。「リストから選ぶ」のチェックボックス１４２Ｂにチェックが入れられた場合には、リストメニュー１４３を選択することで、登録済みの送付先がリスト表示される（図示せず）。また「新しい住所に送る」のチェックボックス１４２Ｄにチェックが入れられた場合には、入力フォーム１４４に新しい住所が入力可能になされる。さらに「リストに追加する」のチェックボックス１４２Ｅにチェックが入れられた場合には、入力フォーム１４４に入力された新しい住所がリストに追加される。
【０１０３】
ユーザは、いずれかの送付先のチェックボックス１４２Ａ〜１４２Ｄにチェックを入れ、「次へ」のボタン１４６を選択する。「戻る」のボタン１４５は、図２３に示したプレゼント選択画面１３１に戻る場合に選択される。
【０１０４】
図２４に示す応募情報入力画面１４１の「次へ」のボタン１４６が選択されると、ステップＳ２３において、ユーザ端末３の制御部３１は、確認画面を表示部３５に表示させる。
【０１０５】
図２５は、確認画面の表示例を示す図である。
【０１０６】
図２５に示すように、確認画面１５１には、応募規約に関する内容、および、「応募」のボタン１５２が表示されている。ユーザは、応募規約を確認した後、「応募」のボタン１５２を選択する。
【０１０７】
ステップＳ２４において、ユーザ端末３の情報送信部４４は、ステップＳ１８の処理で読み取られたレシート情報のうち、少なくとも、キャンペーン応募で必須となる図９中で黒丸が付与された情報、ステップＳ１６の処理で撮影されたレシート画像、ステップＳ１９の処理で選択された対象商品名、ステップＳ２１の処理で選択されたプレゼント名、および、ステップＳ２２の処理で入力された応募情報（送付先）を、ネットワーク５を介してキャンペーン管理サーバ２に送信する。
【０１０８】
ステップＳ２５において、キャンペーン管理サーバ２の情報取得部２１は、ネットワーク５を介してユーザ端末３から送信されてきた応募情報を受信する。
【０１０９】
ステップＳ２６において、キャンペーン管理サーバ２の情報判定部２４は、受信した応募情報が、応募情報データベース２５に登録されていないか、また、キャンペーン情報データベース２２に記憶されているキャンペーンの応募条件を満たすか、偽造されていないか、管理者が正しいと判断したか、判定する。
【０１１０】
ステップＳ２７において、キャンペーン管理サーバ２の情報判定部２４は、判定条件を満たす場合には、受信した応募情報を応募情報データベース２５に記憶させる。
【０１１１】
ステップＳ２８において、ユーザ端末３の制御部３１は、図２６に示すような受付完了画面１７１を表示部３５に表示させる。
【０１１２】
以上の処理によって、ユーザは、購入時に発行されたレシートを撮影することで、簡単に、キャンペーンに応募することができる。
【０１１３】
また、キャンペーンシールが付与された対象商品のキャンペーン応募の際にも、本実施の形態を用いることにより、キャンペーンシールに記載された数桁の番号を撮影することで、簡単に、キャンペーンに応募することができる。
【０１１４】
以上においては、ユーザ端末３で撮影し、ＯＣＲ処理されたレシート情報を、キャンペーン管理サーバ２に送信するようにしているが、ユーザ端末３のキャンペーン応募アプリケーションに応募の重複をチェックする機能を実装することで、不正なキャンペーン応募を防止することができる。またキャンペーン応募管理サーバ２においても、応募に重複があると判定した場合には、当該購入者をブラックリストに入れて応募を禁止するような対策を講じることができる。
【０１１５】
さらに、キャンペーン応募アプリケーションに、よく買う商品リスト、欲しい景品リスト、よく行くお店リストの登録機能を実装し、リスト登録された商品、景品、またはお店を、ユーザがいつでも確認できるようにすることで、キャンペーンの気づきを与えることができる。
【０１１６】
また、キャンペーン応募アプリケーションに、地図検索機能、ＭＹエリア機能、ＧＰＳ通知機能を実装し、現在地やＭＹエリアに登録された場所から、キャンペーン実施中の店舗を検索し、地図表示することで、キャンペーンの気づきを与えることができる。
【０１１７】
［本発明の実施の形態における効果］
１．以上のように、レシートの印字面を撮影し、レシート画像から文字（レシート情報）を認識し、認識したレシート情報の正当性を判断することで、購入者の商品購入を証明することができ、レシートを購買証明とすることができる。
２．従来、キャンペーン応募には、応募はがきに対象商品のバーコード等を貼付し、切手を購入し、送付していたが、本実施の形態によれば、ユーザは、応募の手間を軽減することができ、切手代を節約することができ、さらに、アプリケーションの利用により容易に所望のキャンペーンを探し出すことができる、といった効果を期待できる。また、メーカや流通は、流通に貢献することができ、キャンペーン運用コストを低減することができる。
３．キャンペーンの抽選により当選者が決定した際には、レシート情報だけでなく、レシート画像で目視確認することにより、正当性を判断することも可能である。
４．キャンペーンの対象商品と一緒に購入されている品目も把握することができるため、マーケティング分析に利用することができる。
５．収集したキャンペーンの応募情報から、店舗毎、対象商品毎の応募率を算出し、応募状況も把握することができる。
【０１１８】
以上、添付図面を参照しながら、本発明に係るキャンペーン応募システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１９】
１………キャンペーン応募システム
２………キャンペーン管理サーバ
３………ユーザ端末
４………レシート
５………ネットワーク
１１………制御部
１２………記憶部
２１………情報取得部
２４………情報判定部
２５………応募情報データベース
３１………制御部
３５………表示部
３６………カメラ
４１………情報取得部
４２………撮影部
４３………ＯＣＲ処理部
４４………情報送信部
【図１】
2015079371.tif 000003
【図２】
2015079371.tif 000004
【図３】
2015079371.tif 000005
【図４】
2015079371.tif 000006
【図５】
2015079371.tif 000007
【図６】
2015079371.tif 000008
【図７】
2015079371.tif 000009
【図８】
2015079371.tif 000010
【図９】
2015079371.tif 000011
【図１０】
2015079371.tif 000012
【図１１】
2015079371.tif 000013
【図１２】
2015079371.tif 000014
【図１３】
2015079371.tif 000015
【図１４】
2015079371.tif 000016
【図１５】
2015079371.tif 000017
【図１６】
2015079371.tif 000018
【図１７】
2015079371.tif 000019
【図１８】
2015079371.tif 000020
【図１９】
2015079371.tif 000021
【図２０】
2015079371.tif 000022
【図２１】
2015079371.tif 000023
【図２２】
2015079371.tif 000024
【図２３】
2015079371.tif 000025
【図２４】
2015079371.tif 000026
【図２５】
2015079371.tif 000027
【図２６】
2015079371.tif 000028